(57)【要約】【課題】簡便な操作により連写撮影を実行可能な無線通信端末と、被写体の位置に応じて撮影要求対象の無線通信端末を選択し、選択された無線通信端末により取得した画像データを、登録されたすべての無線通信端末と共有することを可能とする撮影管理システムとを提供する。【解決手段】各携帯電話機１０，１１，１２は、位置情報を所定時間毎に管理センタ２０へ送信し、管理センタ２０は、各携帯電話機の位置を逐次更新し、撮影対象の位置が特定すると、撮影対象の位置に最も近い携帯電話機を選択し、選択した携帯電話機に対して撮影要求を送信する。撮影要求を受信した携帯電話機は、ユーザによる撮影キーの押下回数に応じた連写撮影を行った後、取得した画像データを管理センタ２０へ送信し、管理センタ２０は、送信された画像データを他のユーザへ配信する。【選択図】図１
2005192160.tif 000002
【特許請求の範囲】
【請求項１】
撮影キーを含む入力手段と、
前記撮影キーの操作に応じて撮影を行う撮像手段と、
前記撮像手段の起動後、前記撮影キーの押下回数を記憶する記憶手段と、
前記記憶手段に記憶された回数、連続して前記撮像手段に撮影させる制御手段と
を有することを特徴とする無線通信端末。
【請求項２】
表示手段を有し、
前記制御手段は、
撮影キーが押下された回数を前記表示手段に表示させること
を特徴とする請求項１記載の無線通信端末。
【請求項３】
通信網と無線により接続される無線通信手段を有し、
前記制御手段は、
前記無線通信手段により前記通信網から撮影要求を受信することにより、前記撮像手段を起動すること
を特徴とする請求項１または請求項２に記載の無線通信端末。
【請求項４】
報知手段をさらに有し、
前記制御手段は、
前記撮影要求を受信後、所定時間前記撮影キーの操作がない場合は、前記報知手段を鳴動させること
を特徴とする請求項３記載の無線通信端末。
【請求項５】
予め登録した複数の無線通信端末と、前記複数の無線通信端末の中から選択した一の無線通信端末に対して無線通信により撮影要求を行う情報処理装置と、からなる撮影管理システムであって、
前記情報処理装置は、
前記複数の無線通信端末の位置に関する情報を管理する位置情報管理手段と、
前記位置情報管理手段が管理する位置に関する情報の中から、特定位置に最も近い位置に関する情報に対応する無線通信端末を選択する端末選択手段と  
前記端末選択手段が選択した無線通信端末に対して、無線通信により撮影要求を送信する撮影要求手段と
を有することを特徴とする撮影管理システム。
【請求項６】
前記無線通信端末は、
撮影キーを含む入力手段と、
前記撮影キーの操作に応じて撮影を行う撮像手段と、
制御モードとして、無線通信が可能な無線通信モードと撮影モードとを有する制御手段と
を含み、
前記制御手段は、前記撮影要求手段の撮影要求を受信すると、前記前記撮影キーが操作された回数に応じて、連続して前記撮像手段に撮影させること
を特徴とする請求項５記載の撮影管理システム。
【請求項７】
前記無線通信端末は、
前記撮像手段が撮影した画像を前記情報処理装置に送信し、
前記情報処理装置は、受信した前記画像を前記無線通信端末以外の登録した無線通信端末に送信すること
を特徴とする請求項５または６に記載の撮影管理システム。
【発明の詳細な説明】
【技術分野】
【０００１】
本発明は、たとえば携帯電話機のような無線通信端末と、無線通信端末を利用して、無線通信により撮影制御を行う撮影管理システムに関するものである。
【背景技術】
【０００２】
近年、無線通信端末としての携帯電話機にカメラモジュールを備えることが一般的となっている。そして、カメラモジュールを備えた携帯電話機により撮影した画像を、無線通信を介して第三者へ送信（配信）することが行われている。
その一方で、たとえば、人が常駐できない場所に存在する被写体を撮影する等のために、上述したカメラモジュールを備えた携帯電話機の撮影動作を、遠隔で制御したい要望がある。
かかる遠隔制御を実現する技術として、無線通信による撮影要求に応じて、カメラ撮影を実行する携帯電話端末に関する技術が提案されている（下記特許文献１参照）。
【特許文献１】特開２００３−１４３２６１号公報
【発明の開示】
【発明が解決しようとする課題】
【０００３】
ところで、上記特許文献１において提案されている技術は、撮影指示を行うユーザと撮影指示を受けるユーザとの１対１の遠隔制御を企図したものであって、撮影指示を受けるユーザが複数存在する場合の撮影の遠隔制御を目的とするものではない。そのために、被写体が広範囲に行動する場合には、１のユーザだけでは、被写体をタイムリーに捉えることができず、シャッターチャンスを逃す可能性がある。
したがって、被写体が存在する場所等に応じて、情報処理装置としての管理センタが、複数のユーザのうち１のユーザを選択して撮影指示（撮影要求）を送信し、選択されたユーザが撮影により取得した画像データを自動的に管理センタへ送信する撮影管理システムが望まれる。その際、管理センタは、受信した画像データを、撮影したユーザ以外のユーザへ配信することが情報の共有化の観点から望ましい。
たとえば、カメラ機能付の携帯電話機を所持する複数の警察官が、管理センタからの無線通信による撮影要求に応じて撮影を行う場合には、撮影対象である被疑者の場所に最も近い場所にいる警察官がその被疑者を撮影し、管理センタが撮影により得られた画像を他の警察官へ配信し、被疑者の画像を共有できるようにすることが、捜査を円滑に進めるうえで望ましい。
【０００４】
一方、撮影指示を受けて撮影を行うユーザは、プレビュー画面等を確認して正確に被写体を捉えるための十分な時間が取れるとは限らない。
たとえば、撮影指示を受けて上記警察官が被疑者等の撮影を行う時には、プレビュー画面等を確認して正確に被疑者を捉えるための十分な時間が取れるとは限らない。したがって、被写体たる被疑者が警察官の正面近くに存在する場合など、ある程度の撮影品質が確保できる可能性が高い場合には、プレビュー画面を確認せずに連写撮影を行うことで、シャッターチャンスを逃さないようにする必要がある。プレビュー画面を確認せずに撮影する場合でも、連写撮影を行うことで、管理センタ等において複数の画像の中から、撮影品質に応じて画像を選択することが可能となる。
そのために、メニューボタン等を操作することによる撮影モード切替え時間（静止画撮影モードから連写撮影モード等）を除去すべく、簡便な操作により連写撮影が可能な技術が要望される。
【０００５】
本発明はかかる事情に鑑みてなされたものであり、その目的は、簡便な操作により連写撮影を実行可能な無線通信端末と、被写体の位置に応じて撮影要求対象の無線通信端末を選択し、選択された無線通信端末により取得した画像データを、その他の無線通信端末と共有することを可能とする撮影管理システムとを提供することにある。
【課題を解決するための手段】
【０００６】
上記目的を達成するために本発明の第１の観点は、撮影キーを含む入力手段と、前記撮影キーの操作に応じて撮影を行う撮像手段と、前記撮像手段の起動後、前記撮影キーの押下回数を記憶する記憶手段と、前記記憶手段に記憶された回数、連続して前記撮像手段に撮影させる制御手段とを有する無線通信端末である。
【０００７】
好適には、表示手段を有し、前記制御手段は、撮影キーが押下された回数を前記表示手段に表示させる。
【０００８】
好適には、通信網と無線により接続される無線通信手段を有し、前記制御手段は、前記無線通信手段により前記通信網から撮影要求を受信することにより、前記撮像手段を起動する。
【０００９】
好適には、報知手段をさらに有し、前記制御手段は、前記撮影要求を受信後、所定時間前記撮影キーの操作がない場合は、前記報知手段を鳴動させる。
【００１０】
上記目的を達成するために本発明の第２の観点は、予め登録した複数の無線通信端末と、前記複数の無線通信端末の中から選択した一の無線通信端末に対して無線通信により撮影要求を行う情報処理装置と、からなる撮影管理システムであって、前記情報処理装置は、前記複数の無線通信端末の位置に関する情報を管理する位置情報管理手段と、前記位置情報管理手段が管理する位置に関する情報の中から、特定位置に最も近い位置に関する情報に対応する無線通信端末を選択する端末選択手段と  前記端末選択手段が選択した無線通信端末に対して、無線通信により撮影要求を送信する撮影要求手段とを有する。
【００１１】
好適には、前記無線通信端末は、撮影キーを含む入力手段と、前記撮影キーの操作に応じて撮影を行う撮像手段と、制御モードとして、無線通信が可能な無線通信モードと撮影モードとを有する制御手段とを含み、前記制御手段は、前記撮影要求手段の撮影要求を受信すると、前記前記撮影キーが操作された回数に応じて、連続して前記撮像手段に撮影させる。
【００１２】
好適には、前記無線通信端末は、前記撮像手段が撮影した画像を前記情報処理装置に送信し、前記情報処理装置は、受信した前記画像を前記無線通信端末以外の登録した無線通信端末に送信する。
【発明の効果】
【００１３】
本発明の無線通信端末によれば、簡便な操作により連写撮影を実行可能であるため、煩雑な操作が不要となり、利便である。
また、本発明の撮影管理システムによれば、被写体の位置に応じて撮影要求対象の無線通信端末を選択し、選択された無線通信端末のユーザにより取得した画像データを、その他の無線通信端末のユーザと共有することが可能となるので、被写体の位置にかかわらず、早期にすべてのユーザが被写体を視認でき、利便である。
【発明を実施するための最良の形態】
【００１４】
実施形態
以下、本発明に係る無線通信端末および撮影管理システムの実施形態を添付図面に関連付けて説明する。
図１は、本発明に係る撮影管理システムの全体構成を示す図である。図２は、本発明の無線通信端末としての携帯電話機１０の外観の一例を図解した図であり、（ａ）は正面の外観図を、（ｂ）は背面の外観図を、それぞれ示す。図３は、携帯電話機１０の主要回路の構成例を示すブロック図である。
図１に示すように、本発明に係る撮影管理システムは、本実施形態においては、複数の携帯電話機（図１に例示する携帯電話機１０，１１，１２）と情報処理装置としての管理センタ２０とを備えて構成される。携帯電話機１０と管理センタ２０は、通信網９００を介して無線通信を行う。
本実施形態に係る撮影管理システムにおいては、各携帯電話機１０，１１，１２が所定時間毎に演算する位置情報に基づいて、管理センタ２０が各携帯電話機１０，１１，１２の位置情報を管理しているが、各携帯電話機１０，１１，１２が位置情報の演算を行わない場合には、管理センタ２０は、各携帯電話機１０，１１，１２の位置情報を、通信網９００に接続された交換局サーバ３０から取得する。
なお、撮影管理システムを構成する複数の携帯電話機（図１に示す携帯電話機１０，１１，１２）は、以下に説明する携帯電話機１０とすべて同一の携帯電話機である。
【００１５】
以下、携帯電話機１０の各構成要素について、図２および図３に関連付けて説明する。  図２（ａ）に示すように、携帯電話機１０の本体ケース１００の正面には、送受信アンテナ１０１ａと、表示部１０５と、キー入力部１０４と、マイクロフォン１０６ｂと、スピーカ１０６ａとが配設されている。
さらに、図２（ｂ）に示すように、携帯電話機１０の本体ケース１００の背面には、撮像部１０３に含まれる対物レンズが配設されている。
図３に示すように、携帯電話機１０は、送受信アンテナ１０１ａを含む通信処理部１０１と、メモリ１０２と、撮像部１０３と、キー入力部１０４と、表示部１０５と、スピーカ１０６ａおよびマイクロフォン１０６ｂを含む音声処理部１０６と、制御手段としての制御部１０９とを有している。
【００１６】
通信処理部１０１は、電波を利用した無線通信で行うために、制御部１０９で処理された画像データ、音声情報、電子メール等の各種情報を変調して送受信アンテナ１０１ａにより図示しない基地局に送信する。
また、通信処理部１０１は、基地局から無線により送信され、送受信アンテナ１０１ａで受信した画像データ、音声情報、電子メール等の各種情報を復調して制御部１０９に出力する。
メモリ１０２は、ＥＥＰＲＯＭ等の不揮発性メモリを含んで構成され、撮像部１０３により取得され、圧縮された画像データを格納する。
【００１７】
撮像部１０３は、被写体像を取り込むための対物レンズと、被写体の像を電気信号に変換するための撮像処理回路とを含んで構成される。
対物レンズは、図２（ｂ）に示すとおり、ユーザから見て相手側が撮影できるように、携帯電話機１０の本体ケース１００の背面に配置され、撮像処理回路内の撮像素子上に被写体の光学像を結像する。
撮像処理回路は、対物レンズにより結像された被写体の像を電気信号に変換する。
具体的には、撮像処理回路は撮像素子を有し、被写体の像は、その撮像素子の２次元平面上に画素単位で配置される複数の受光素子に取り込まれる。その際、受光素子上のカラーフィルタを通して、色の情報を光の３原色に分解して取り込まれる。そして、各画素の輝度値が電圧に変換され、順にＡ／Ｄ変換器によってディジタルデータに変換されて、制御部１０９に供給される。
撮像素子としては、公知の技術としてＣＣＤ型とＣＭＯＳ型等が知られており、いずれを適用してもよい。
【００１８】
キー入力部１０４は、終了（終話）／電源キー、開始（発呼）キー、数字等に対応した複数のテンキー等を有し、これらのキーがユーザにより操作されることにより、ユーザからの入力情報を制御部１０９に出力する。
また、複数のテンキーのうち１個のテンキーに対して、後述する撮影モードにおいて、撮影を実行するための撮影キーが割り当てられる。
【００１９】
表示部１０５は、液晶表示装置（ＬＣＤ）等の表示デバイスを有し、通話機能のために入力した電話番号や各種メッセージ、テキストデータ等を表示する。
また、撮影モードにおいて、撮像部１０３により得られた被写体の画像が表示部１０５に表示される。さらに、撮影モードにおいて、ユーザが撮影キーを押下した回数に応じた撮影回数カウンタの値が表示部１０５に表示される。
【００２０】
音声処理部１０６は、音声処理回路を有し、通話機能のために音声出力を行うスピーカ１０６ａと音声入力を行うマイクロフォン１０６ｂとが接続されている。
音声処理部１０６は、マイクロフォン１０６ｂにより集音した音声に対して所定の処理を行って制御部１０９に供給する。
また、音声処理部１０６は、制御部１０９により供給された音声情報に対して所定の処理を行ってスピーカ１０６ａから出力させる。
【００２１】
制御部１０９は、マイクロコンピュータを主体として構成され、携帯電話機１０の全体の制御を行う。たとえば、制御部１０９は、通信処理部１０１における各種情報の無線による送受信の制御、音声処理部１０６に対する音声情報の処理、表示部１０５への情報の表示制御、キー入力部１０４の入力情報に応じた処理、メモリ１０２に対するアクセス制御等を行う。
制御部１０９は、無線通信モードと撮影モードの２つの制御モードで動作する。
無線通信モードは、無線通信が可能なモードであり、制御部１０９は、表示部１０５に電源起動直後の標準画面（いわゆる待受画面）を表示させる。無線通信モードにおいては、キー入力部１０４の操作により、発呼動作を行うことが可能である。
撮影モードは、ユーザに対して相対する位置にある被写体を撮影するモードである。
撮影モードでは、制御部１０９は、表示部１０５を制御して、撮像部１０３から供給される画像データを表示させる。
【００２２】
ユーザは、キー入力部１０４に対する所定の操作により、自発的に制御モードを無線通信モードから撮影モードへ移行させることが可能であるが、管理センタ２０より撮影要求を受信すると、制御部１０９は、制御モードを強制的に無線通信モードから撮影モードへ移行させる。
撮影モードでは、キー入力部１０４の所定のキーが撮影キーとなる。制御部１０９は、ユーザが撮影キーを押下（操作）する回数に応じて、内部の撮影回数カウンタを更新（カウントアップ）し、撮影回数カウンタの値分の連写撮影を行うように、撮像部１０３に指示する。撮影実行後に、撮影回数カウンタはリセットされる。
また、撮影モードにおいて、所定時間の間に撮影キーの操作がない場合には、制御部１０９は、音声処理部１０６を制御してアラーム音を鳴動させる。
【００２３】
また、制御部１０９は、ＧＰＳ測位機能を有する。すなわち、携帯電話機１０の位置情報を所定時間毎に演算し、演算した位置情報を通信処理部１０１を通して、管理センタ２０へ送信する。
ＧＰＳ測位機能を実現するために、制御部１０９には、ＧＰＳ測位部とＧＰＳ制御部が含まれる。
ＧＰＳ測位部は、少なくとも３つのＧＰＳ衛星から飛来する電波を受信する。各ＧＰＳ衛星からの電波には、衛星の正確な位置情報と電波を発射した時刻情報が含まれている。ＧＰＳ制御部は、ＧＰＳ測位部が各ＧＰＳ衛星から受信した受信信号に基づいて、携帯電話機１０が位置する緯度と経度を演算する。
そして、制御部１０９は、通信処理部１０１を制御して、演算した位置情報（緯度、経度）を管理センタ２０へ送信する。
【００２４】
なお、本実施形態では、管理センタ２０が撮影要求対象の携帯電話機を選択するために、管理センタ２０側で携帯電話機１０の位置情報を管理する必要があることから、上述したように、携帯電話機１０が所定時間毎に自己の位置情報を管理センタ２０へ送信するように構成したが、管理センタ２０が交換局サーバ等から携帯電話機１０の位置情報を取得することもでき、その場合には、上述したＧＰＳ測位機能は、制御部１０９には必要ない。
【００２５】
以上、携帯電話機１０の各構成要素について説明した。なお、図１に示す撮影管理システムの全体構成において、他の携帯電話機である携帯電話機１１，１２についても、上述した携帯電話機１０と同一の構成を有している。
【００２６】
次に、本発明の情報処理装置としての管理センタ２０の構成について、図４に関連付けて説明する。なお、以下の説明では、携帯電話機１０との無線通信についてのみ言及している場合もあるが、管理センタ２０は、携帯電話機１０と同様に、他の携帯電話機（携帯電話機１１，１２）と無線通信を行う。
【００２７】
図４に示すように、管理センタ２０は、送受信アンテナ２０１ａを含む通信処理部２０１と、位置データベース２０２ａを含むメモリ２０２と、入力部２０４と、制御部２０９とから構成される。
通信処理部２０１は、電波を利用した無線通信で行うために、制御部２０９で処理された画像データ、テキストデータ等の各種情報を変調して送受信アンテナ２０１ａにより図示しない基地局に送信する。
また、通信処理部２０１は、携帯電話機１０と無線通信を行う。
すなわち、基地局から無線により送信され、送受信アンテナ２０１ａで受信した画像データ、テキストデータ等の情報を復調して制御部２０９に出力する。さらに、制御部２０９から出力される撮影要求を復調し、送受信アンテナ２０１ａから基地局を通して、携帯電話機１０へ送信する。
【００２８】
メモリ２０２は、ＥＥＰＲＯＭ等の揮発性メモリを含んで構成される。メモリ２０２内には、各ユーザ毎に位置情報を管理するための位置データベース２０２ａが存在する。
図５は、位置データベース２０２ａに格納されるデータの一例を示した図である。
図５に示すように、位置データベース２０２ａには、各携帯電話機のユーザ（保有者）と位置情報がそれぞれ関連付けられて記憶され、また、電話番号やメールアドレス等の各保有者に付随したデータが各保有者毎に記憶されている。位置データベース２０２ａの位置情報（緯度、経度）は、制御部２０９により逐次更新される。
また、管理センタ２０が携帯電話機１０から受信する画像データは、逐次メモリ２０２に格納される。
【００２９】
入力部２０４は、キーボード等を含んで構成される入力手段である。
管理センタ２０の管理者は、位置データベース２０２ａに登録されている情報（たとえば，図５に示す保有者、電話番号など）を更新するため、入力部２０４を操作する。
また、管理センタ２０の管理者は、特定の位置情報（特定位置情報）を、入力部２０４を通して入力する。
特定位置情報は、管理センタ２０において管理している被写体の位置である。管理センタ２０の管理者が知得する情報に基づいて、管理者は、被写体の大まかな位置について把握しており、その被写体の位置情報を、特定位置情報として入力部２０４に入力する。
後述するように、入力部２０４を通して入力される特定位置情報に基づいて、制御部２０９は、撮影要求の対象となる携帯電話機を決定する。
【００３０】
制御部２０９は、マイクロコンピュータを主体として構成され、管理センタ２０の全体の制御を行う。たとえば、制御部２０９は、通信処理部２０１における各種情報の無線による送受信の制御、入力部２０４の入力情報に応じた処理、メモリ２０２に対するアクセス制御等を行う。
制御部２０９は、通信処理部２０１が携帯電話機１０，１１，１２から所定時間毎に受信する位置情報に基づいて、位置データベース２０２ａに格納される各携帯電話機の位置情報を更新する。
制御部２０９は、管理センタ２０の管理者から入力部２０４により入力された特定位置情報を、位置データベース２０２ａにおいて管理する各携帯電話機の位置情報と参照し、特定位置情報に最も近い位置情報に対応する携帯電話機を選択し、通信処理部２０１を制御して撮影要求を送信する。
【００３１】
特定位置情報に最も近い位置情報に対応する携帯電話機の選択方法としては、入力部２０４により入力された特定位置情報と、位置データベース２０２ａにおいて管理する各携帯電話機の位置情報との緯度、経度に基づいて求められる直線距離が最も短い携帯電話機を選択するようにしてもよいし、予め携帯電話機の各保有者毎に行動範囲（領域）が定められていたならば、入力部２０４により入力された特定位置情報が含まれる領域を担当する保有者の携帯電話機を選択するようにしてもよい。
また、特定位置情報は、入力部２０４から管理センタ２０の管理者により入力される場合に限らず、予めメモリ２０２に特定位置情報が格納され、制御部２０９は、メモリ２０２に格納される特定位置情報を、位置データベース２０２ａにおいて管理する各携帯電話機の位置情報と参照するようにしてもよい。
【００３２】
以上、管理センタ２０の各構成要素について説明した。
次に、図６および図７に関連付けて、本実施形態における撮影管理システムの処理動作を説明する。
図６は、撮影管理システムの概略フローチャートを示す図である。以下の説明では、たとえば、各警察官がそれぞれ携帯電話機１０を所持し、管理センタ２０が撮影要求の対象となる被疑者が存在する場所に最も近い場所にいる警察官に対して、その被疑者の撮影を要求する場合を例として、説明する。
【００３３】
ステップＳＴ１：
管理センタ２０の管理者は、被疑者がいずれかの警察官に近い位置にいることを把握すると、入力部２０４に被疑者の位置情報（特定位置情報）を入力する。制御部２０９は、入力された特定位置情報に最も近い位置情報に対応する携帯電話機を選択する。
すなわち、制御部２０９は、入力された特定位置情報を、位置データベース２０２ａにおいて管理する各携帯電話機の位置情報と参照し、特定位置情報に最も近い位置情報に対応する携帯電話機を選択する。
なお、撮影管理システムが起動すると、予めメモリ２０２に格納された特定位置情報に基づいて、制御部２０９が自動的に、上述した携帯電話機の選択動作を行うように構成してもよい。
ステップＳＴ２：
制御部２０９は、通信処理部２０１を制御して、選択された携帯電話機１０に対して撮影要求を送信する。
【００３４】
ステップＳＴ３およびＳＴ４：
携帯電話機１０のユーザは、受信した撮影要求に基づいて、連写撮影を行う。撮影により取得した画像データは、管理センタ２０へ送信される。
ここで、連写撮影を行うのは、撮影指示を受けて各警察官が被疑者等の撮影を行う時には、プレビュー画面等を確認して正確に被疑者を捉えるための十分な時間が取れるとは限らないため、被写体たる被疑者が警察官の正面近くに存在する場合など、ある程度の撮影品質が確保できる可能性が高い場合には、プレビュー画面を確認せずに連写撮影を行うことで、シャッターチャンスを逃さないようにする必要があるためである。連写撮影を行うことで、プレビュー画面を確認せずに撮影する場合でも、画像データの送信先である管理センタ２０において、連写された複数の画像の中から、撮影品質に応じて画像を選択することが可能となる。
本ステップにおける携帯電話機１０の動作については、図７に示すフローチャートを用いて後述する。
ステップＳＴ５：
管理センタ２０は、携帯電話機１０より受信した被疑者の画像データを、メモリ２０２へ格納する。
ステップＳＴ６：
管理センタ２０は、メモリ２０２へ格納した被疑者の画像データを、他の登録された携帯電話機（たとえば、図１に示す携帯電話機１１，１２）へ送信（配信）する。
これにより、携帯電話機１０以外の携帯電話機を所持する警察官も、被疑者の画像データを視認することができるので、捜査の進展が期待できる。
【００３５】
次に、上記ステップＳＴ３およびＳＴ４における携帯電話機１０の動作について、図７に示すフローチャートに関連付けて説明する。
図６に示すステップＳＴ２において、管理センタ２０から撮影要求を受信すると（ステップＳＴ１０）、携帯電話機１０の制御部１０９は、制御モードを無線通信モードから撮影モードへ強制的に移行させる（ステップＳＴ１１）。
【００３６】
撮影モードへ移行すると、制御部１０９は、タイマをスタートさせる（ステップＳＴ１２）。後述する撮影回数カウンタのカウント動作と、撮影キーが操作されない場合のアラーム音の鳴動のために、かかるタイマが管理される。
タイマ動作中に、撮影キーの押下（操作）回数がカウントされ、制御部１０９が管理する撮影回数カウンタが更新される（ステップＳＴ１３および１４）。
なお、制御部１０９は、表示部１０５を制御して、撮影回数カウンタの値を常に表示させる。これにより、ユーザ（警察官）は、自分が撮影キーを押下した回数が視認できるので、さらに押下すべき回数を調整することが可能となる。
所定時間が経過し、タイマが終了すると（ステップＳＴ１５）、制御部１０９は、撮影回数カウンタが０でない場合は（ステップＳＴ１６）、撮影回数カウンタ分の連写撮影を実行するように、撮像部１０３を制御する（ステップＳＴ１７）。すなわち、撮像部１０３の撮像処理回路は、対物レンズより取り込まれた被疑者の光学像を光電変換し、撮影回数カウンタの値の回数分だけ、所定の時間間隔で順次、画像データを生成して、制御部１０９へ出力する。
【００３７】
制御部１０９は、撮像部１０３が生成した画像データを圧縮してメモリ１０２へ格納した後（ステップＳＴ１８）、通信処理部１０１を制御して、メモリ１０２へ格納した画像データを管理センタ２０へ送信する（ステップＳＴ１９）。その際、撮影回数カウンタはリセットされる。
なお、ステップＳＴ１６において、撮影回数カウンタの値が０である場合、すなわち、タイマ作動中に１回も撮影キーが押下（操作）されなかった場合には、撮影要求を受信したことをユーザが気づいていない場合が考えられるので、ユーザに対して撮影実行を促すため、制御部１０９は、音声処理部１０６を制御してアラーム音を鳴動させる（ステップＳＴ２０）。
アラーム音の鳴動は、キー入力部１０４の所定のキーが押下されるまで、続けられ（ステップＳＴ２１）、所定のキーが押下されると、制御部１０９は、アラーム音の鳴動を停止させ、ステップＳＴ１２に示すタイマをスタートさせる。
【００３８】
以上説明したように、本実施形態に係る携帯電話機１０によれば、無線通信を行う通信処理部１０１と、連写撮影を行うための撮像部１０３と、撮影キーを含むキー入力部１０４と、画像データを表示する表示部１０５と、撮影データを記憶する記憶するメモリ１０２と、制御モードとして無線通信を行う無線通信モードとカメラ撮影を行う撮像モードを有する制御部１０９とを含み、制御部１０９は、撮像モードにおいて、撮影キーの押下されると、撮影キーの押下回数分の連写撮影を行うように、撮像部１０３を制御するように構成した。
さらに、制御部１０９は、表示部１０５が撮影キーの押下回数を表示するように構成した。
【００３９】
したがって、表示部１０５を確認して正確に被写体を捉えるための十分な時間が取れない場合でも、被写体がユーザの正面近くに存在する場合など、ある程度の撮影品質が確保できる可能性が高い場合には、撮影キーを押下するだけで押下回数分の連写撮影が可能であるため、シャッターチャンスを逃がす可能性が低いという利点がある。
また、撮影キーの押下回数が表示部に表示されるので、ユーザは、これを視認し、さらに撮影キーを押下すべき回数を調整することができるので、利便である。
【００４０】
本実施形態に係る撮影管理システムによれば、管理センタ２０と複数の上記携帯電話機１０とから構成され、携帯電話機１０は、制御部１０９のＧＰＳ測位機能により演算した自己の位置情報を所定時間毎に管理センタ２０へ送信し、管理センタ２０は、各携帯電話機と無線通信によるデータの授受を行う通信処理部２０１と、各携帯電話機の位置情報を管理する位置データベースを含むメモリ２０２と、制御部２０９とを含み、撮影対象の位置が特定されると、制御部２０９は、撮影対象の位置に最も近い携帯電話機を選択し、選択した携帯電話機に対して撮影要求を送信し、撮影要求を受信した携帯電話機１０は、制御モードを撮影モードとして、ユーザによる撮影キーの押下回数に応じた連写撮影を行った後、取得した画像データを管理センタ２０へ送信し、管理センタ２０は、送信された画像データを他のユーザへ配信するように構成した。
【００４１】
したがって、撮影対象（被写体）の位置に応じて、管理センタ２０は、無線通信により遠隔的に撮影データを取得することができるので、便利である。
【００４２】
撮影要求を受信した携帯電話機１０は、制御モードを無線通信モードから撮影モードへ移行させるので、ユーザは、キー入力部１０４を操作して制御モードを自発的に変更させる必要がなく、すぐに撮影可能な状態となるので、シャッターチャンスを逃す可能性が低く、かつ、撮影モードを切り替えるための煩雑な操作が必要ない。
【００４３】
また、本実施形態に係る携帯電話機１０は、撮影要求を受信して所定時間経過した後に、撮影キーの押下が一度もない場合には、アラーム音を鳴動するので、確実にユーザに撮影をさせることが可能である。たとえば、ユーザが撮影要求を受信したことに気付かない場合でも、アラーム音により、撮影動作を行うことを気付かせることが可能である。
【００４４】
管理センタ２０は、各携帯電話機の位置情報を管理し、各携帯電話機から所定時間毎に受信する位置情報に基づいて、管理する位置情報を更新するので、撮影対象（被写体）に応じて、撮影のために最適な携帯電話機を選択し、撮影要求を送信することができる。したがって、撮影要求に係る被写体の画像を、早期に取得することが可能である。
【００４５】
管理センタ２０は、撮影要求に係る被写体の画像データを受信後、他のユーザへ画像データを配信するので、早期に画像データを複数のユーザ間で共有することができる。
したがって、たとえば、携帯電話機を所持するユーザとしての複数の警察官と、当該複数の警察官と無線通信を行う管理センタとの間で、本実施形態の撮影管理システムを構築した場合には、管理センタが撮影対象である被疑者の場所に最も近い場所にいる警察官の保持する携帯電話機を選択し、選択された携帯電話機に対して撮影要求を送信し、撮影要求に応じて、選択された携帯電話機を保持する警察官が被疑者を撮影し、撮影により取得されたされた画像データが管理センタに送信され、管理センタが送信された画像を、その他の警察官へ配信するため、被疑者の画像をすべての警察官の間で共有でき、捜査の進展が期待できる。
【図面の簡単な説明】
【００４６】
【図１】撮影管理システムの全体構成を示す図である。
【図２】携帯電話機の外観の一例を図解した図であり、（ａ）は正面の外観図を、（ｂ）は背面の外観図を、それぞれ示す。
【図３】携帯電話機のシステム構成の一例を図解したブロック図である。
【図４】管理センタのシステム構成の一例を図解したブロック図である。
【図５】管理センタの位置データベースの一例を示す図である。
【図６】携帯電話機と管理センタの処理手続きを図解した図である。
【図７】携帯電話機の動作を示すフローチャートである。
【符号の説明】
【００４７】
１０，１１，１２…携帯電話機
１００…本体ケース
１０１…通信処理部
１０１ａ…送受信アンテナ
１０２…メモリ
１０３…撮像部
１０４…キー入力部
１０５…表示部
１０６…音声処理部
１０６ａ…スピーカ
１０６ｂ…マイクロフォン
１０９…制御部
２０…管理センタ
２０１…通信処理部
２０１ａ…送受信アンテナ
２０２…メモリ
２０２ａ…位置データベース
２０４…入力部
２０９…制御部
３０…交換局サーバ
９００…通信網
【図１】
2005192160.tif 000003
【図２】
2005192160.tif 000004
【図３】
2005192160.tif 000005
【図４】
2005192160.tif 000006
【図５】
2005192160.tif 000007
【図６】
2005192160.tif 000008
【図７】
2005192160.tif 000009